(57)【要約】【課題】  裏面にゴムシート等の防滑用シートを設けて、座席の背もたれに対し滑らないように工夫されている空気枕が知られている。防滑用シートを設けただけでは座席の背もたれの形状や、材質によって空気枕を確実に固定できず空気枕を頭、肩で支えて使用することになる。すると、寝てしまって首が曲ると空気枕ごと頭が左右に動くことになる。【解決手段】バス等の座席の背もたれを抱くように取付けるベルト本体と、このベルト本体を前記背もたれに固定するために前記ベルト本体に設けられた結合手段と、このベルト本体に固着又は着脱自在な空気枕本体と、この空気枕本体に設けられた逆止弁とを備え、前記空気枕本体は、人の頭部の後部が当たる頭部当接部と前記頭部を両側から支持する一対の頭部支持部とよりなることを特徴とする空気枕装置。【選択図】図１
2015131079.tif 000002
【特許請求の範囲】
【請求項１】
バス等の座席の背もたれを抱くように取付けるベルト本体と、このベルト本体を前記背もたれに固定するために前記ベルト本体に設けられた結合手段と、このベルト本体に固着又は着脱自在な空気枕本体と、この空気枕本体に設けられた逆止弁とを備え、前記空気枕本体は、人の頭部の後部が当たる頭部当接部と前記頭部を両側から支持する一対の頭部支持部とよりなることを特徴とする空気枕装置。
【請求項２】
前記ベルトの表面に空気枕本体の周囲を密封状態で固着し、この空気枕本体と前記ベルトの表面で空洞部を構成したことを特徴とする請求項１記載の空気枕装置。
【請求項３】
前記ベルト本体に目隠しベルトを取付けたことを特徴とする請求項１記載の空気枕装置。
【請求項４】
前記目隠しベルトの一端を前記ベルト本体に固定し、他端に一方の面ファスナーを設けて、前記ベルト本体に設けた他方の面ファスナーに結合できるよう構成し、前記目隠しベルト不使用時、前記目隠しベルトを収納するポケットを前記ベルト本体に設けたことを特徴とする請求項３記載の空気枕装置。
【請求項５】
前記ベルト本体に顔隠し布を取付けたことを特徴とする請求項１記載の空気枕装置。
【請求項６】
前記顔隠し布の一端を前記ベルト本体の中央部端面に固着し、前記顔隠し布不使用時、前記顔隠し布を収納するポケットを前記ベルト本体の裏面に設けたことを特徴とする請求項５記載の空気枕装置。
【請求項７】
前記ベルト本体に額支持ベルトを取付けたことを特徴とする請求項１記載の空気枕装置。
【請求項８】
前記額支持ベルトの一端を前記ベルト本体に固定し、他端に一方の面ファスナーを設けて、前記ベルト本体に設けた他方の面ファスナーに結合できるよう構成し、前記額支持ベルト不使用時、前記額支持ベルトを収納するポケットを前記ベルト本体に設けたことを特徴とする請求項７記載の空気枕装置。
【発明の詳細な説明】
【技術分野】
【０００１】  本発明は、携帯用の空気枕装置に関するものである。
【背景技術】
【０００２】  一般的に使用されている空気枕は、Ｕ字状のもので、空気を入れて膨らませ首に巻いて使用する。電車の中や、夜行バス、飛行機の座席で使用されることが多い。ところが、首に巻き付けているのでは、寝てしまうと、首が横に倒れることがあり、この空気枕では、首の倒れを十分に支えることができず、安眠することができない。【０００３】  そこで、断面コ字状の空気枕の凹部に頭部を入れるようにし、頭部の左右を前記凹部の両側にある凸部で支えるようにすることが考えられた。実用新案出願公開昭６４−４１６９号公報参照。
【先行技術文献】
【特許文献】
【０００４】
【特許文献１】  実用新案出願公開昭６４−４１６９号公報
【発明の概要】
【発明が解決しようとする課題】
【０００５】  上記特許文献に示されている空気枕は、裏面にゴムシート等の防滑用シートを設けて、座席の背もたれに対し滑らないように工夫されている。然しながら、防滑用シートを設けただけでは座席の背もたれの形状や、材質によって空気枕を確実に固定できず空気枕を頭、肩で支えて使用することになる。すると、寝てしまって首が曲ると空気枕ごと頭が左右に動くことになる。
そこで、本発明は、空気枕を確実に座席の背もたれに固定でき、携帯用として用いることができるコンパクトな空気枕装置を提供することを目的とする。
【課題を解決するための手段】
【０００６】  本発明の空気枕装置は、バス等の座席の背もたれを抱くように取付けるベルト本体と、このベルト本体を前記背もたれに固定するために前記ベルト本体に設けられた結合手段と、このベルト本体に固着又は着脱自在な空気枕本体と、この空気枕本体に設けられた逆止弁とを備え、前記空気枕本体は、人の頭部の後部が当たる頭部当接部と前記頭部を両側から支持する一対の頭部支持部とよりなることを特徴とする。【０００７】  また、前記ベルトの表面に空気枕本体の周囲を密封状態で固着し、この空気枕本体と前記ベルトの表面で空洞部を構成したことを特徴とする。
また、前記ベルト本体に目隠しベルトを取付けたことを特徴とする。
また、前記目隠しベルトの一端を前記ベルト本体に固定し、他端に一方の面ファスナーを設けて、前記ベルト本体に設けた他方の面ファスナーに結合できるよう構成し、前記目隠しベルト不使用時、前記目隠しベルトを収納するポケットを前記ベルト本体に設けたことを特徴とする。【０００８】  また、前記ベルト本体に顔隠し布を取付けたことを特徴とする。
また、前記顔隠し布の一端を前記ベルト本体の中央部端面に固着し、前記顔隠し布不使用時、前記顔隠し布を収納するポケットを前記ベルト本体の裏面に設けたことを特徴とする。【０００９】  また、前記ベルト本体に額支持ベルトを取付けたことを特徴とする。
さらに、前記額支持ベルトの一端を前記ベルト本体に固定し、他端に一方の面ファスナーを設けて、前記ベルト本体に設けた他方の面ファスナーに結合できるよう構成し、前記額支持ベルト不使用時、前記額支持ベルトを収納するポケットを前記ベルト本体に設けたことを特徴とする。
【発明の効果】
【００１０】  以上のように、本発明の空気枕装置によれば、空気枕本体がベルト本体に取付けられ、ベルト本体が電車やバスの座席に取付けられるようになっているので、空気枕本体を確実に固定でき、人の頭部を頭部支持部で両側から支持でき、寝た場合に首が曲ることが無いので安眠することができる。
また、前記ベルトの表面に空気枕本体の周囲を密封状態で固着し、この空気枕本体と前記ベルトの表面で空洞部を構成すれば、空気枕装置をコンパクトにすることができる。
また、ベルト本体に目隠しベルト、顔隠し布、額固定ベルトを設ければより安眠に寄与することができる。これらのベルト、布は不使用時ベルトのポケットに収納しておけば良く、コンパクトでしかも携帯できる空気枕装置を提供することができる。
【図面の簡単な説明】
【００１１】
【図１】  本発明の実施の形態に係る空気枕装置の断側面図である。
【図２】  同空気枕装置の平面図である。
【図３】  同空気枕装置の使用状態を示す正面図である。
【図４】  同空気枕装置の使用状態を示す断上面図である。
【図５】  同他の実施の形態に係る空気枕装置の平面図である。
【図６】  図５に示す空気枕装置の使用状態を示す正面図である。
【図７】  図５に示す空気枕装置の不使用時の平面図である。
【図８】  同他の実施の形態に係る空気枕装置の平面図である。
【図９】  図８に示す空気枕装置の使用状態を示す正面図である
【図１０】  図８に示す空気枕装置の裏面の平面図である。
【図１１】  同他の実施の形態に係る空気枕装置の使用状態を示す断側面図である。
【図１２】  図１１に示す空気枕装置の空気を抜いた状態を示す断側面図である。
【発明を実施するための形態】
【実施例】
【００１２】  以下、本発明の実施の形態について図面とともに説明する。
図１、図２は本発明の空気枕装置の実施例である。図１に於いて、１は布又は柔軟性のある樹脂で作られたベルト本体、２は空気枕本体、３は空気枕本体２に空気を出し入れするための逆止弁である。この逆止弁３は通常の空気枕に使用されているものを用いればよい。ベルト本体１は電車、バス、飛行機等の座席の背もたれを一周することができる程度の長さに設定されており、図示していないが長さは調整できるよう構成されている。調整手段は鞄の肩掛けベルトに用いられているものを用いればよい。ベルト本体１の両端部には両者を結合できる面ファスナー４が設けられている。一方の面ファスナーはベルト本体１の裏面にあり、図示されていない。面ファスナー４の替わりに安全ピン等他の結合手段を用いても良い。【００１３】  図１、図２は空気が入れられて、空気枕本体２が膨らんだ状態を示している。
空気枕装置は、ベルト本体１と空気枕本体２とで構成されている。空気枕本体２の周囲がベルト本体１の表面に密封状態で固着され、ベルト本体１と空気枕本体２とにより空気枕装置の空洞部が構成される。空気枕本体２は三つの部分から構成されている。２ａが人の頭部の後部が当たる頭部当接部、２ｂ，２ｃが頭部当接部２ａの左右にある頭部支持部である。頭部支持部２ｂ，２ｃの両端部２ｄ，２ｅで空気枕本体２はベルト本体１に密封的に結合されている。また、頭部支持部２ｂ，２ｃと頭部当接部２ａとの結合部２ｆ，２ｇでもベルト本体１と密封的に結合されている。なお、頭部当接部２ａと頭部支持部２ｂ，２ｃとは空気が流通するようところどころで連通（図示していない）している。一つの逆止弁３から空気を送り込ませるためである。連通状態にせずに頭部当接部２ａと頭部支持部２ｂ，２ｃそれぞれに逆止弁を設けてもよい。
また、頭部当接部２ａと頭部支持部２ｂ，２ｃとを一体の空洞部に構成してもよい。この場合、一個の逆止弁から空洞部に空気を送り込むのが容易となる。【００１４】  頭部当接部２ａは空気が入れられたときその厚みは小さく、頭部支持部２ｂ，２ｃは空気が入れられたときその厚みが大きくなるように、すなわち、頭部支持部２ｂ，２ｃが頭部の両サイドに当たり、頭部を挟み込むよう構成されている。頭部当接部２ａの幅は頭部の横幅より少し大きく設定される。【００１５】  空気枕本体２の素材は、空気の漏れない柔軟性のある合成樹脂で作られる。
空気が抜けると、皺状態でへこむので外観はあまり良くない。また、割れにくい風船の素材である天然ゴムを厚く使用したものを用いると、空気を抜くと平面状になるので空気を抜いたときの外観は良くなる。この場合空気を入れて空気枕本体２を膨らますのに人間の呼気で困難なときは小さな空気入れを携帯して使用すれば良い。【００１６】  図３、図４は、空気枕装置の使用状態を示している。電車やバスの座席の背もたれ５に空気枕装置のベルト本体１を巻き付け、裏側でベルト本体１の両端部をファスナー４で結合する。人６は座席に座り、頭部６ａを頭部支持部２ｂ，２ｃの間に入れる。頭部６ａは頭部支持部２ｂ，２ｃで左右方向にしっかりと支持される。この状態で寝ても首が横方向に倒れることがないので安眠ができる。【００１７】  図５は、ベルト本体１に目隠しベルト７を設けたものである。目隠しベルト７の一端はベルト本体１に接着剤で固着或いは糸で縫いつけるなどして固着しておく。他端は自由端にしておき、図７に示す面ファスナー８（前記自由端の裏にも設ける）で結合できるようにしておく。面ファスナー８の替わりに安全ピン等他の結合手段を用いても良い。図６は目隠しベルト７の使用状態を示しており、目隠しベルト７によって眼を覆うことができ明るい電車・バスの中でより良く眠ることができる。【００１８】  図７は目隠しベルト７を使用していないときの状態を示している。ベルト本体１の表面にポケット９を設けておき、このポケット９の開口部から目隠しベルト７を畳んで収納するようにしたものである。目隠しベルト７とポケット９は図１、図２の実施例に加えて設けることができる。【００１９】  図８はベルト本体１に顔隠し布１０を取付けたものである。顔隠し布１０はベルト本体１の中央部端面に糸で縫いつける等して結合しておく、顔隠し布１０の左右端、下端は自由端となっている。図９は顔隠し布１０の使用状態を示している。人６の顔を覆うことができるので、特に女性は安心して眠ることができる。【００２０】  図１０はベルト本体１の裏面を示しておりポケット１１を設けておき、顔隠し布１０を使用しないときは折り畳んでポケット１１の開口部より挿入して収納しておく。顔隠し布１０とポケット１１は図１、図２の実施例に加えて設けることができる。
図１１は他の実施例であり、使用状態を示している。ベルト本体１に独立した空気枕本体１２を固着したものである。固着は１７ａ，１７ｂ，１７ｃの線状部分でベルト本体１の表面に沿って（紙面に垂直方向）に接着等されている。【００２１】  空気枕本体１２は頭部当接部１２ａと頭部支持部１２ｂ，１２ｃからなる。空気を入れたときの頭部当接部１２ａの厚みは薄く、頭部支持部１２ｂ，１２ｃの厚みは大きい。図は頭部当接部１２ａと頭部支持部１２ｂ，１２ｃそれぞれ独立しており、逆止弁１３ａ，１３ｂ，１３ｃがそれぞれに設けられている。頭部当接部１２ａと頭部支持部１２ｂ，１２ｃを空気が流通できるように一体にして逆止弁を一つにしてもよい。【００２２】  頭部当接部１２ａと頭部支持部１２ｂ，１２ｃは線１４ａ，１４ｂ，１４ｃのところで折り畳めるようになっており、空気を抜くと図１２に示すように折り畳める。
この実施例では、頭部当接部１２ａと頭部支持部１２ｂ，１２ｃが左右に動く可能性があるので頭部６ａを額のところで支持する額支持ベルト１５を設け、図１１に示すように、頭部支持部１２ｂ，１２ｃを頭部６ａとともに支持する。額支持ベルト１５は人が寝たとき首が前に曲るのを防止する働きがある。額支持ベルト１５は一端でベルト本体１に固着され、他端は面ファスナーでベルト本体１に着脱自在となる。不使用時はポケット１６に折り畳んで収納しておく。ポケット１６は図７のポケット９を兼用してもよい。額支持ベルト１５は図１〜図９の実施例にも設けることができる。【００２３】  図示はしていないが、空気を入れたときに断面コ字状となる空気枕本体をベルト本体とは独立して設け、空気枕本体の背面とベルトの表面に面ファスナーを設けて、空気枕本体をベルト本体に着脱自在にしてもよい。【００２４】  以上のように、本発明の空気枕装置によれば、空気枕本体がベルト本体に取付けられ、ベルト本体が電車やバスの座席に取付けられるようになっているので、空気枕本体を確実に固定でき、人の頭部を頭部支持部で両側から支持でき、寝た場合に首が曲ることが無いので安眠することができる。
また、前記ベルトの表面に空気枕本体の周囲を密封状態で固着し、この空気枕本体と前記ベルトの表面で空洞部を構成すれば、空気枕装置をコンパクトにすることができる。
また、ベルト本体に目隠しベルト、顔隠し布、額固定ベルトを設ければより安眠に寄与することができる。これらのベルト、布は不使用時ベルトのポケットに収納しておけば良く、携帯用として用いることができるコンパクトな空気枕装置を提供することができる。
【産業上の利用可能性】
【００２５】  本発明は、夜行電車・夜行バス・飛行機等で旅行する場合の空気枕装置として利用できるものである。
【符号の説明】
【００２６】１：ベルト本体
２：空気枕本体
２ａ：頭部当接部
２ｂ，２ｃ：頭部支持部
２ｄ，２ｅ：端部
２ｆ，２ｇ：結合部
３：逆止弁
４：面ファスナー
５：座席の背もたれ
６：人
６ａ：頭部
７：目隠しベルト
８：面ファスナー
９：ポケット
１０：顔隠し布
１１：ポケット
１２：空気枕本体
１２ａ：頭部当接部
１２ｂ，１２ｃ：頭部支持部
１３ａ，１３ｂ，１３ｃ：逆止弁
１４ａ，１４ｂ，１４ｃ：線
１５：額支持ベルト
１６：ポケット
１７ａ，１７ｂ，１７ｃ：線状部分
【図１】
2015131079.tif 000003
【図２】
2015131079.tif 000004
【図３】
2015131079.tif 000005
【図４】
2015131079.tif 000006
【図５】
2015131079.tif 000007
【図６】
2015131079.tif 000008
【図７】
2015131079.tif 000009
【図８】
2015131079.tif 000010
【図９】
2015131079.tif 000011
【図１０】
2015131079.tif 000012
【図１１】
2015131079.tif 000013
【図１２】
2015131079.tif 000014